(57)【特許請求の範囲】
【請求項１】
プラズマアークを絞るチップを取り付けた先端部と根本部の間を曲折した屈曲部を有する金属センター部材と前記金属センター部材を包囲する絶縁被覆部材とで形成されたトーチボディと、
前記トーチボディの先端部を保護する絶縁筒と、
前記トーチボディを保持する把持部を備え、
前記トーチボディの屈曲部の角度の小さい側にＴ字形の突起を設け、
前記絶縁筒の前記Ｔ字形の突起側に鍔を設け、
前記屈曲部と把持部の間で、かつトーチボディのＴ字形の突起を設けた側にトーチボディカバーを配置し、
前記Ｔ字形の突起に係合する突起と前記絶縁筒の鍔を支持する窪みを前記トーチボディカバーに設け、
前記トーチボディの前記トーチボディカバーを配置した側に前記屈曲部から前記根本部にかけて凸条部を形成し、
前記トーチボディカバーの突起とトーチボディの間の空間及び前記トーチボディカバーと前記凸条部の間の空間に前記凸条部を挟むように検出線を配設し、
前記トーチボディカバーの端部を係止する窪みを前記把持部に設けたプラズマ切断トーチ。
【発明の詳細な説明】
【０００１】
【発明の属する技術分野】
本発明は、作動ガスを用いるプラズマ切断トーチで、特に把持部から延出するトーチボディが長いロングタイプのプラズマ切断トーチに関するものである。
【０００２】
【従来の技術】
従来のプラズマ切断トーチを図２（ａ）ないし（ｃ）に沿って説明する。
【０００３】
１は作動ガス通路を内部に有し屈曲部を介して根本部から先端部が曲折した金属センター部材２と前記金属センター部材２を包囲する絶縁被覆部材３とを有するトーチボディ、４は前記トーチボディ１の先端部に取付けられ作動ガスにてプラズマアークを絞り母材（ワーク）に供給する銅もしくは銅合金からなるチップ、５は一対の検出線６と電気的に接触する導電部を上端面に施した絶縁性のシールドカップで、シールドカップ５がトーチボディ１より離脱したことを検出線６で検出する。７はトーチボディ１の先端部を保護し上部にフランジ８を設けた絶縁筒、９は前記トーチボディ１と絶縁筒７を保持する左右一対の把持部で、ビス止めされている。１０は前記トーチボディ１に切断電流と作動ガスを供給するパワーケーブルである。１１は絶縁筒７のフランジ８を保持するため把持部９の先端に形成した嵌合凹部、１２は把持部９の中央部に把持部９とトーチボディ１の根本部をビスとナットにより固定するための第１ビス孔、１３は作業者が手持する把持部９が開かないように固定するための第２ビス孔である。そして、従来のプラズマ切断トーチは、トーチボディ１と一対の把持部９の間の空間に接合面１４に挟まれないよう検出線６を配設したものであり、シールドカップ５がトーチボディ１から外れたとき検出線６から検出信号が送れなくなることから離脱を検出し、危険防止に備えていた。
【０００４】
【発明が解決しようとする課題】
しかしながら、上記従来のプラズマ切断トーチでは、根本部がロングタイプであるため把持部９が非常に長く、また把持部９によりトーチボディ１と絶縁筒７の両者を同時固定するため、組立し難いという問題があった。
【０００５】
また、ビス止めのための第１ビス孔１２が３カ所、第２ビス孔１３が４カ所、合計７カ所あり、組立に長時間かかる問題を有していた。
【０００６】
さらに、左右の把持部９の組立の際、左右の把持部９の下面の接合部１４に検出線６が入り込み、接合部１４に隙間ができてそこから把持部９内に異物が入ったり、最悪、接合部１４に入り込んだ検出線６が切断され検出信号が送れない問題もあった。
【０００７】
本発明は、上記従来の課題を解決するもので、組立性が良好で、検出線が接合部に入り込まないプラズマ切断トーチを提供することを目的とする。
【０００８】
【課題を解決するための手段】
上記の目的を達成するために、本発明のプラズマ切断トーチは、プラズマアークを絞るチップを取り付けた先端部と根本部の間を曲折した屈曲部を有する金属センター部材と前記金属センター部材を包囲する絶縁被覆部材とで形成されたトーチボディと、前記トーチボディの先端部を保護する絶縁筒と、前記トーチボディを保持する把持部を備え、前記トーチボディの屈曲部の角度の小さい側にＴ字形の突起を設け、前記絶縁筒の前記Ｔ字形の突起側に鍔を設け、前記屈曲部と把持部の間で、かつトーチボディのＴ字形の突起を設けた側にトーチボディカバーを配置し、前記Ｔ字形の突起に係合する突起と前記絶縁筒の鍔を支持する窪みを前記トーチボディカバーに設け、前記トーチボディの前記トーチボディカバーを配置した側に前記屈曲部から前記根本部にかけて凸条部を形成し、前記トーチボディカバーの突起とトーチボディの間の空間及び前記トーチボディカバーと前記凸条部の間の空間に前記凸条部を挟むように検出線を配設し、前記トーチボディカバーの端部を係止する窪みを前記把持部を備えたものである。
【０００９】
【発明の実施の形態】
この構成によって、把持部は短い部品になると共にトーチボディにトーチボディカバーを嵌込んだ状態でこれらの各端部を把持部の前部にて固定すればよく組立し易くなる。
【００１０】
また、トーチボディとトーチボディカバーの固定はトーチボディの屈曲部の下側に設けた突起とこの突起の上側に位置するトーチボディカバー前部の突起により行え、絶縁筒とトーチボディカバーの固定は絶縁筒上部の鍔をトーチボディカバー前部の窪みに嵌込むことにより行え、トーチボディカバーと把持部の固定はトーチボディカバーの根本部の端部を把持部の前部の窪みに嵌込むことにより行えるので、ビス止めの箇所が減り組立時間を短縮できる。
【００１１】
また、検出線の組み込みは、トーチボディの根本部とトーチボディカバーの第１組立工程および一対の把持部の第２組立工程の２工程に分けられるので、検出線が接合部に入り込むことはない。
【００１２】
以下、本発明の実施の形態について、図１（ａ）ないし（ｃ）を参照しながら説明する。図１（ａ）ないし（ｃ）において、符号４，５，６，１０は従来例の図２（ａ）ないし（ｃ）と同じであるので説明を省略する。
【００１３】
２１は作動ガス通路を内部に有し根本部から屈曲部を介して先端部が曲折した金属センター部材２２と前記金属センター部材２２を包囲する絶縁被覆部材２３とで形成され、前記屈曲部の内角側に根本部から先端部に沿って逆Ｔ字形の突起２４を設けたトーチボディ、２５はトーチボディ２１の先端部を保護し上部に鍔２６を設けた絶縁筒、２７はトーチボディ２１の根本側下部を保護し、前部にトーチボディ２１のＴ字形の突起２４の上側に係合する突起２８と絶縁筒２５の鍔２６を支持する窪み２９を設けたトーチボディカバー、３０はトーチボディ２１と絶縁筒２５を保持し、前部にトーチボディカバー２７の根本部の端部を押さえる窪み３１を設けた一対の把持部である。
【００１４】
つぎに、本実施の形態におけるプラズマ切断トーチの固定構造を説明する。トーチボディ２１とトーチボディカバー２７の固定はトーチボディ２１の屈曲部の下側の逆Ｔ字形の突起２４の上側にトーチボディカバー２７前部の突起２８が係合することによりトーチボディカバー２７の前部の上下方向の固定が行え、絶縁筒２５とトーチボディカバー２７の固定は絶縁筒２５の上部の鍔２６をトーチボディカバー２７の前部の窪み２９に嵌込むことにより絶縁筒２５の上下方向とトーチボディカバー２７の前方向の固定が行え、トーチボディカバー２７と把持部３０の固定はトーチボディカバー２７の根本部を把持部３０の前部の窪み３１に嵌込むことによりトーチボディカバー２７の上下後ろ方向の固定が行える。なお、トーチボディ２１の根本部の断面形状は図１（ｂ）（ｃ）に示すもの以外に、把持部３０との抜止めを行うために、根本部の端部は角形（図示せず）となっている。また、左右の把持部３０をビス止めすることによりトーチボディ２１を把持部３０に固定することができる。
【００１５】
以上のように、本実施の形態によれば、把持部３０は短くなると共にトーチボディ２１にトーチボディカバー２７を嵌込んだ状態でこれらの根本部の端部側を把持部３０の前部にて固定すればよいので組立し易くなる。
【００１６】
また、各部の固定は把持部３０のビス止め４カ所以外は全てワンタッチで行えるので、ビス止め箇所が減り組立時間を短縮することができる。
【００１７】
また、検出線の組込みは、トーチボディ２１とトーチボディカバー２７の第１組立工程および左右の把持部３０の第２組立工程の２工程に分けられるので、検出線８が接合部に入り込むことはない。
【００１８】
【発明の効果】
以上のように、本発明によれば、把持部は短くなると共にトーチボディにトーチボディカバーを嵌込んだ状態でこれらの根本部の端部を把持部の前部にて固定すればよいので組立し易くなることや、各部の固定は把持部のビス止め以外は全てワンタッチで行えるので、ビス止めの箇所が組立時間を短縮することができることや、トーチボディとトーチボディカバーの第１組立工程および一対の把持部の第２組立工程の２工程より組立られるので、検出線が接合部に入り込むことはないなどの優れた効果を奏するものである。
【図面の簡単な説明】
【図１】（ａ）本発明の実施の形態におけるプラズマ切断トーチの側断面図
（ｂ）同図１（ａ）のＡ−Ａ断面図
（ｃ）同図１（ｂ）のＢ−Ｂ断面図
【図２】（ａ）従来のプラズマ切断トーチの側断面図
（ｂ）同図２（ａ）のＡ−Ａ断面図
（ｃ）同図２（ｂ）のＢ−Ｂ断面図
【符号の説明】
２１  トーチボディ
２２  金属センター部材
２３  絶縁被覆部材
２４  逆Ｔ字形の突起
２５  絶縁筒
２６  鍔
２７  トーチボディカバー
２８  突起
２９  窪み
３０  把持部
３１  窪み
【図１】
0003591181.tif 000002
【図２】
0003591181.tif 000003